(57)【要約】    【課題】  ユーザーは、プロジェクタとネットワーク接続を確立したい無線端末を、プロジェクタに対応するリモコンに近接させるだけで、目的のプロジェクタと無線端末のネットワーク接続を確立できる。    【解決手段】  第１の機器と第２の機器と第３の機器からなるシステムであって、第１の機器と第２の機器が通信したことによって、第１の機器と第３の機器が通信し、第２の機器と第３の機器の通信の接続を確立すること。【選択図】    図１
2018129647.tif 000002
【特許請求の範囲】
【請求項１】
第１の機器と第２の機器と第３の機器からなるシステムであって、
第１の機器と第２の機器が通信したことによって、
第１の機器と第３の機器が通信し、
第２の機器と第３の機器の通信の接続を確立することを特徴としているシステム。
【請求項２】
第１の機器は、第２の機器と第３の機器の通信の接続を確立するための接続情報を保持していることを特徴とする請求項１に記載のシステム。
【請求項３】
第２の機器は、第２の機器と第３の機器の通信の接続を確立するための接続情報を保持していることを特徴とする請求項１に記載のシステム。
【請求項４】
第１の機器と第２の機器が通信したことによって、前記接続情報を更新することを特徴とする請求項１乃至３のいずれか１項に記載のシステム。
【請求項５】
第１の機器と第２の機器の通信手段が、近接無線通信であることを特徴とする請求項１乃至４のいずれか１項に記載のシステム。
【請求項６】
第１の機器と第３の機器の通信手段が、赤外線通信であることを特徴とする請求項１乃至５のいずれか１項に記載のシステム。
【請求項７】
第２の機器と第３の機器の通信手段が、無線ＬＡＮ通信であることを特徴とする請求項１乃至６のいずれか１項に記載のシステム。
【請求項８】
前記接続情報に、識別情報（ＳＳＩＤ）を生成するために必要な情報を含むことを特徴とする請求項１乃至７のいずれか１項に記載のシステム。
【請求項９】
前記接続情報に、認証に必要なパスコードを含むことを特徴とする請求項１乃至８のいずれか１項に記載のシステム。
【請求項１０】
近傍無線通信を行う近傍無線通信手段と、
赤外線信号を生成する赤外線信号生成手段と、
赤外線信号を送信する赤外線通信送信手段と、
これらとは別の通信の接続情報を保持する接続情報記憶手段を備え、
前記近傍無線通信手段が通信を行ったら、
前記赤外線信号生成手段によって、前記接続情報記憶手段に保持されている接続情報に基づいて赤外線信号を生成して、
前記赤外線通信送信手段によって、前記赤外線信号を送信するよう構成された電子機器。
【請求項１１】
近傍無線通信を行う近傍無線通信手段と、
赤外線信号を生成する赤外線信号生成手段と、
赤外線信号を送信する赤外線通信送信手段と、
前記近傍無線通信手段が通信を行ったら、
前記赤外線信号生成手段によって、前記近傍無線通信手段によって受信された接続情報に基づいて赤外線信号を生成して、
前記赤外線通信送信手段によって、前記赤外線信号を送信するよう構成された電子機器。
【請求項１２】
赤外線信号を受信する赤外線通信受信手段と、
接続情報を抽出する接続情報抽出手段と、
外部と無線通信する無線通信手段を備え、
前記赤外線通信受信手段が赤外線信号を受信したら、
前記接続情報抽出手段によって受信した赤外線信号から接続情報を抽出させ、
その抽出された接続情報に基づいて無線通信手段を初期設定するよう構成されたことを特徴とする電子機器。
【発明の詳細な説明】
【技術分野】
【０００１】
本発明は、電子機器を遠隔操作可能な遠隔制御装置あるいはシステムに関するものである。
【背景技術】
【０００２】
プロジェクタなど設置して使う電子機器に、いわゆるＷｉＦｉと呼ばれる無線通信機能が搭載されるようになった。また、スマートフォンに代表されるＷｉＦｉに対応した無線端末も身近なものとなった。このような無線端末は、様々なアプリケーションを導入することにより、様々な機能が実現できる。そして、無線端末から目的の電子機器を遠隔制御するようなアプリケーションも見かけるようになった。
【０００３】
この無線通信を使って、手元の無線端末と無線通信を確立して、プロジェクタなどを遠隔制御したり、無線端末から画像を送って、投影させたりすることもできるようになった。現状は、無線端末とプロジェクタを接続するとき、複数あるプロジェクタから目的のプロジェクタを区別するために、それぞれのプロジェクタに、あらかじめ、そのプロジェクタに接続するためのＩＤやパスコードを入力しておく方法や、それぞれのプロジェクタから投影されるＩＤやパスコードをユーザーが認識して、無線端末の上で動作中のアプリに入力して設定する方法が考案されている。
【先行技術文献】
【特許文献】
【０００４】
【特許文献１】特開平06-253370号公報
【発明の概要】
【発明が解決しようとする課題】
【０００５】
しかしながら、最初に無線通信を確立するまでの手順は、それほど容易なものではない。特にプロジェクタの場合には、装置本体が、天井などの高い場所に設置されていたりする場合があり、設定を変更するのは容易でない場合がある。また、運用中であると、プロジェクタのＩＤやパスコードを表示してしまうと、多数の人に認識されてしまうなどの不都合があった。
【課題を解決するための手段】
【０００６】
本発明は、第１の機器と第２の機器と第３の機器からなるシステムであって、第１の機器と第２の機器が通信したことによって、第１の機器と第３の機器が通信し、第２の機器と第３の機器の通信の接続を確立することを特徴としている。
【発明の効果】
【０００７】
本発明によれば、ユーザーは、プロジェクタとネットワーク接続を確立したい無線端末を、プロジェクタに対応するリモコンに近接させるだけで、目的のプロジェクタと無線端末のネットワーク接続を確立できる。
【図面の簡単な説明】
【０００８】
【図１】第１のシステムの構成を示すブロック図
【図２】第１のシステムのシーケンス図
【図３】第２のシステムの構成を示すブロック図
【図４】第２のシステムのシーケンス図
【発明を実施するための形態】
【０００９】
［実施例１］
本発明の第1の実施例を、図１および図２を参照しながら詳細に説明する。図１は、第１のシステムの構成を示すブロック図である。図1において、１１０は赤外線リモコン、１１１はリモコン操作部、１１２はリモコン信号送信部、１１３は赤外線ＬＥＤ、１１５はＮＦＣ通信部、１１６は接続情報記憶部である。
【００１０】
リモコン信号送信部１１２は、リモコン操作部１１１の操作を監視していて、操作を検出したら、操作に対応するリモコン信号を生成して、その生成した信号に基づいて、赤外線ＬＥＤ１１３を駆動する。ＮＦＣ通信部１１５は、電力を受給する側であり、近接した機器からの電力を利用して、その機器と通信を行う。接続情報記憶部１１６は、小容量の不揮発メモリであり、あらかじめ接続するために必要な接続情報を記憶している。ここで、接続情報には、少なくとも識別情報（ＳＳＩＤ）を生成するための情報とパスコードを含んでいる。
【００１１】
また、図1において、１２０はプロジェクタ、１２１はリモコン受信部、１２２は接続情報抽出部、１２３は無線送受信部である。
【００１２】
本説明では、映像の入力から投影に関する部分は、本発明に関わらないので省略している。リモコン受信部１２１は、赤外線リモコン１１０から送られてくる赤外線リモコン信号を受信する。接続情報抽出部１２２は、受信した赤外線リモコン信号の中から無線ネットワークの接続に必要な信号を抽出する。無線送受信部１２３は、後述の無線端末と通信を行う部分である。
【００１３】
また、図1において、１３０は無線端末、１３１はＮＦＣ通信部、１３２は接続情報抽出部、１３３は無線送受信部である。ＮＦＣ通信部１３１は、電力を供給する側であり、赤外線リモコン１１０と近接通信を行う。接続情報抽出部１３２は、受信した近接通信の信号の中から無線ネットワークの接続に必要な信号を抽出する。無線送受信部１３３は、接続情報抽出部１３２によって抽出された接続に必要な信号に基づいて、プロジェクタ１２０の無線送受信部１２３と通信を行う部分である。
【００１４】
図２は、第１のシステムのシーケンス図である。図２において、２１０は赤外線リモコン１１０の動作、２２０はプロジェクタ１２０の動作、２３０は無線端末１３０の動作を示している。図２を用いて、プロジェクタ１２０と無線端末１３０の間の無線通信が確立するまでの、赤外線リモコンの動作２１０、プロジェクタの動作２２０、無線端末の動作２３０を説明する。
【００１５】
まず、ユーザーは、赤外線リモコン１１０と無線端末１３０を近接させる（Ｓ２５０）。無線端末１３０のＮＦＣ通信部１３１は、赤外線リモコン１１０のＮＦＣ通信部１１５の接近を検出すると、ＮＦＣ通信部１１５に電力を供給する。そして、無線端末１３０のＮＦＣ通信部１３１は、赤外線リモコン１１０のＮＦＣ通信部１１５に接続情報を要求する（Ｓ２５１）。
【００１６】
赤外線リモコン１１０のＮＦＣ通信部１１５は、外部から電力を受給して動作を開始して、接続情報記憶部１１６から接続情報を取得して、外部に送信する（Ｓ２５２）。また、ＮＦＣ通信部１１５は、リモコン信号送信部１１２に、接続情報を送信するための接続情報送信命令を送る（Ｓ２５３）。リモコン信号送信部１１２は、接続情報送信命令を受けると、接続情報記憶部１１６から接続情報を取得して、その接続情報に基づいたリモコン信号を生成して、その生成した信号に基づいて、赤外線ＬＥＤ１１３を駆動する（Ｓ２５４）。
【００１７】
そして、プロジェクタ１２０のリモコン受信部１２１は、赤外線ＬＥＤ１１３から発せられた接続情報に基づいたリモコン信号を受信する。接続情報抽出部１２２は、リモコン受信部１２１が受信したリモコン信号から接続情報を抽出する（Ｓ２６０）。そして、無線送受信部１２３は、接続情報抽出部１３２で抽出された接続情報に基づいて、無線通信のセットアップを行う（Ｓ２６１）。
【００１８】
一方、無線端末１３０のＮＦＣ通信部１３１は、赤外線リモコン１１０のＮＦＣ通信部１１５から受信した受信情報を出力する。接続情報抽出部１３２は、ＮＦＣ通信部１３１が出力した受信情報から接続情報を抽出する（Ｓ２７１）。そして、無線送受信部１３３は、接続情報抽出部１３２で抽出された接続情報に基づいて、無線通信の接続を試行する（Ｓ２７２）。すると、プロジェクタ１２０の無線送受信部１２３と無線端末１３０の無線送受信部１３３は、同じ接続情報に基づいて初期化と接続動作を行うので、混乱することなく接続を確立できる（Ｓ２９９）。
【００１９】
ところで、接続情報記憶部１１６が記憶している接続情報であるが、固定である必要はない。例えば、接続情報に赤外線リモコン１１０に与えられたリモコンＩＤを含めることで、近傍の識別情報（ＳＳＩＤ）の衝突を防ぐことができる。また、赤外線リモコン１１０のＮＦＣ通信部１１５で通信する都度、接続情報のパスコードを変更してセキュリティを向上することもできる。
【００２０】
［実施例２］
本発明の第２の実施例を、図３および図４を参照しながら詳細に説明する。図３は、第２のシステムの構成を示すブロック図である。図３において、３１０は赤外線リモコン、３１１はリモコン操作部、３１２はリモコン信号送信部、３１３は赤外線ＬＥＤ、３１５はＮＦＣ通信部である。リモコン信号送信部３１２は、リモコン操作部３１１の操作を監視していて、操作を検出したら、操作に対応するリモコン信号を生成して、その生成した信号に基づいて、赤外線ＬＥＤ３１３を駆動する。ＮＦＣ通信部３１５は、電力を受給する側であり、近接した機器からの電力を利用して、その機器と通信を行う。
【００２１】
また、図３において、３２０はプロジェクタ、３２１はリモコン受信部、３２２は接続情報抽出部、３２３は無線送受信部である。
【００２２】
本説明では、映像の入力から投影に関する部分は、本発明に関わらないので省略している。リモコン受信部３２１は、赤外線リモコン３１０から送られてくる赤外線リモコン信号を受信する。接続情報抽出部３２２は、受信した赤外線リモコン信号の中から無線ネットワークの接続に必要な信号を抽出する。無線送受信部３２３は、後述の無線端末と通信を行う部分である。
【００２３】
また、図３において、３３０は無線端末、３３１は接続情報記憶部、３３２はＮＦＣ通信部、３３３は無線送受信部である。接続情報記憶部３３１は、あらかじめ接続するために必要な接続情報を記憶している。ここで、接続情報には、少なくとも識別情報（ＳＳＩＤ）を生成するための情報とパスコードを含んでいる。ＮＦＣ通信部３３２は、電力を供給する側であり、赤外線リモコン１１０と近接通信を行う。無線送受信部３３３は、接続情報記憶部３３１に保持されている接続に必要な情報に基づいて、プロジェクタ３２０の無線送受信部３２３と通信を行う部分である。
【００２４】
図４は、第２のシステムのシーケンス図である。図４において、４１０は赤外線リモコン３１０の動作、４２０はプロジェクタ３２０の動作、４３０は無線端末３３０の動作を示している。図４を用いて、プロジェクタ３２０と無線端末３３０の間の無線通信が確立するまでの、赤外線リモコンの動作４１０、プロジェクタの動作４２０、無線端末の動作４３０を説明する。まず、ユーザーは、赤外線リモコン３１０と無線端末３３０を近接させる（Ｓ４５０）。
【００２５】
無線端末３３０のＮＦＣ通信部３３２は、赤外線リモコン３１０のＮＦＣ通信部３１５の接近を検出すると、ＮＦＣ通信部３１５に電力を供給する。そして、無線端末３３０のＮＦＣ通信部３３２は、赤外線リモコン３１０のＮＦＣ通信部３１５に、接続情報記憶部３３１に保持されている接続情報を送信する（Ｓ４５１）。
【００２６】
赤外線リモコン３１０のＮＦＣ通信部３１５は、外部から電力を受給して動作を開始して、無線端末３３０のＮＦＣ通信部３３２から送信された接続情報を受信する。また、ＮＦＣ通信部３１５は、リモコン信号送信部３１２に、接続情報を送信するための接続情報送信命令を送る（Ｓ４５３）。リモコン信号送信部３１２は、接続情報送信命令を受けると、ＮＦＣ通信部３１５から取得した接続情報に基づいたリモコン信号を生成して、その生成した信号に基づいて、赤外線ＬＥＤ３１３を駆動する（Ｓ４５４）。
【００２７】
そして、プロジェクタ３２０のリモコン受信部３２１は、赤外線ＬＥＤ３１３から発せられた接続情報に基づいたリモコン信号を受信する。接続情報抽出部３２２は、リモコン受信部３２１が受信したリモコン信号から接続情報を抽出する（Ｓ４６０）。そして、無線送受信部３２３は、接続情報抽出部３２２で抽出された接続情報に基づいて、無線通信のセットアップを行う（Ｓ４６１）。
【００２８】
一方、無線端末３３０の無線送受信部３３３は、接続情報記憶部３３１に保持されている接続情報に基づいて、無線通信の接続を試行する（Ｓ４７２）。すると、プロジェクタ３２０の無線送受信部３２３と無線端末３３０の無線送受信部３３３は、同じ接続情報に基づいて初期化と接続動作を行うので、混乱することなく接続を確立できる（Ｓ４９９）。ところで、接続情報記憶部３３１が記憶している接続情報であるが、固定である必要はない。
【００２９】
例えば、接続情報に無線端末に固有な情報を含めることで、近傍の識別情報（ＳＳＩＤ）の衝突を防ぐことができる。また、ＮＦＣ通信部３３２で通信する都度、接続情報のパスコードを変更してセキュリティを向上することもできる。さらに別の実施例としては、接続情報を保持している無線端末は、別の通信端末に、それぞれのＮＦＣ通信部を介して接続情報を与えることもできる。
【符号の説明】
【００３０】
１１０  赤外線リモコン
１１１  リモコン操作部
１１２  リモコン信号送信部
１１３  赤外線ＬＥＤ
１１５  ＮＦＣ通信部
１１６  接続情報記憶部
【図１】
2018129647.tif 000003
【図２】
2018129647.tif 000004
【図３】
2018129647.tif 000005
【図４】
2018129647.tif 000006